(57)【要約】【課題】本発明は、放熱効率が高い発光ダイオードランプを提供することである。【解決手段】本発明に係る発光ダイオードランプは、放熱器及び前記放熱器に設置されている少なくとも１つの発光ダイオードを備え、前記放熱器は、対向する第一表面及び第二表面を有する基板と、前記基板の第二表面から延伸する筒体と、前記筒体の外周面を囲んで前記筒体の外周面から前記筒体の径方向に沿って外へ曲線状に延伸される複数の放熱フィンと、を備え、前記発光ダイオードは、前記第一表面に設置されていることを特徴とする。【選択図】図２
2011258537.tif 000002
【特許請求の範囲】
【請求項１】
放熱器及び前記放熱器に設置されている少なくとも１つの発光ダイオードを備える発光ダイオードランプにおいて、前記放熱器は、対向する第一表面及び第二表面を有する基板と、前記基板の第二表面から延伸する筒体と、前記筒体の外周面を囲んで前記筒体の外周面から前記筒体の径方向に沿って外へ曲線状に延伸される複数の放熱フィンと、を備え、前記発光ダイオードは、前記第一表面に設置されていることを特徴とする発光ダイオードランプ。
【請求項２】
前記各放熱フィンは、前記筒体の外周面から前記筒体の径方向に沿って外側へ延伸して形成される第一直線部、前記第一直線部の自由端から前記筒体の径方向の片側へ湾曲して形成される湾曲部及び前記湾曲部の自由端から再び前記筒体の径方向に沿って外側へ延伸して形成される第二直線部を備えることを特徴とする請求項１に記載の発光ダイオードランプ。
【請求項３】
前記複数の放熱フィンは、２つずつ一対になり、各対の２つの放熱フィンの前記筒体の外周面に近い部分が互いに近接し、各対の２つの放熱フィンの前記筒体の外周面から離れる部分が互いに離間することを特徴とする請求項１に記載の発光ダイオードランプ。
【請求項４】
前記各放熱フィンは、前記筒体の軸方向に沿って条状を呈し、各放熱フィンの前記筒体の外周面から外へ延伸される高さは、前記筒体の前記発光ダイオードに近い一端から前記筒体の前記発光ダイオードに離れている他端に向って次第に小さくなることを特徴とする請求項１に記載の発光ダイオードランプ。
【請求項５】
前記発光ダイオードランプは、前記放熱器の基板の第一表面に固定される透明なランプカバーをさらに備えることを特徴とする請求項１に記載の発光ダイオードランプ。
【請求項６】
前記基板の第一表面の周縁から前記ランプカバー側へ延伸して環状の取付部が形成され、前記取付部には、前記取付部の内側へ延伸される複数の係合部が設けられ、前記複数の係合部は前記取付部の円周方向に沿って等間隔に互いに離間して設置され、各係合部と前記基板との間には、係合溝が形成され、前記ランプカバーは、前記係合部及び前記係合溝によって前記放熱器に固定されることを特徴とする請求項５に記載の発光ダイオードランプ。
【請求項７】
前記発光ダイオードランプは、ランプホルダーをさらに備え、前記筒体は、円筒状を呈し、前記筒体の内部には、駆動回路モジュールを収容するための収容空間が形成され、前記筒体の前記基板から離れている端部には、前記ランプホルダーに連接する開口が形成されることを特徴とする請求項１に記載の発光ダイオードランプ。
【発明の詳細な説明】
【技術分野】
【０００１】
本発明は、照明装置に関し、特に発光ダイオードランプに関するものである。
【背景技術】
【０００２】
発光ダイオード（ＬＥＤ）は、高輝度、低消費電力、長寿命である等の利点を有することから、伝統的な蛍光灯或いは白熱灯に代わってランプの光源として広く応用されており、エネルギー源の消耗及び二酸化炭素の排出量を減少することができる。
【０００３】
しかし、発光ダイオードが作動する時に大量の熱を生成するため、発光ダイオードをコンパクトな室内の照明装置に応用する場合、発光ダイオードが作動する時に生じる熱量を即時に放熱しなければ、発光ダイオードの発光効率を影響するばかりでなく、発光ダイオードが損壊する可能もある。
【発明の概要】
【発明が解決しようとする課題】
【０００４】
本発明の目的は、前記課題を解決し、放熱効率が高い発光ダイオードランプを提供することである。
【課題を解決するための手段】
【０００５】
本発明に係る発光ダイオードランプは、放熱器及び前記放熱器に設置されている少なくとも１つの発光ダイオードを備え、前記放熱器は、対向する第一表面及び第二表面を有する基板と、前記基板の第二表面から延伸する筒体と、前記筒体の外周面を囲んで前記筒体の外周面から前記筒体の径方向に沿って外へ曲線状に延伸される複数の放熱フィンと、を備え、前記発光ダイオードは、前記第一表面に設置されていることを特徴とする。
【発明の効果】
【０００６】
従来の技術に比べて、本発明に係る発光ダイオードランプにおいては、放熱器に外へ曲線状に延伸される複数の放熱フィンが設けられているため、各放熱フィンは大きい放熱面積を持ち、従って前記放熱器の放熱効率が高まり、前記発光ダイオードランプが作動する時に生成した熱量が、前記放熱器によって外界に快速に放熱され、前記発光ダイオードランプは安定して作動することができる。
【図面の簡単な説明】
【０００７】
【図１】本発明に係る発光ダイオードランプの組立図である。
【図２】図１に示す発光ダイオードランプの分解図である。
【図３】図２に示す発光ダイオードランプの放熱器の平面図である。
【図４】図２に示す発光ダイオードランプの放熱器の断面図である。
【発明を実施するための形態】
【０００８】
以下、図面を参照して、本発明の実施例について説明する。
【０００９】
図１及び図２を参照すると、本発明に係る発光ダイオードランプ１００は、ランプホルダー１０と、前記ランプホルダー１０に固定されている放熱器２０と、前記放熱器２０に設置されている複数の発光ダイオード３０と、前記放熱器２０に設置され且つ前記複数の発光ダイオード３０を覆うランプカバー４０と、を備える。
【００１０】
前記ランプホルダー１０は、外部の電源供給部に電気接続して、前記発光ダイオードランプ１００に電力を供給する。前記ランプホルダー１０は、標準部品であるため、前記発光ダイオードランプ１００は、伝統的な白熱灯を直接に取り替えることができる。
【００１１】
前記放熱器２０は、基板２１と、前記基板２１の周縁から上に向かって延在する環状の取付部２２と、前記基板２１の周縁から下に向かって延在する縦長い筒体２３と、前記取付部２２及び前記筒体２３の長手方向に沿って前記取付部２２及び前記筒体２３の外周面から外に向って延在する複数の放熱フィン２４と、を備える。前記放熱器２０は、金属及びセラミックスのような高熱伝導性及び高温に耐える材料によって一体に成型される。前記金属材料は、銅、アルミニウム又はその合金から選択することが好ましく、前記セラミック材料は、酸化アルミニウム又は窒化アルミニウムから選択することが好ましい。酸化アルミニウム或いは窒化アルミニウムによって製造された放熱器２０は、絶縁の効果をさらに持つ。本実施例において、前記放熱器２０は、成型し易いアルミニウムによって製造される。
【００１２】
図３及び図４を参照すると、前記基板２１は、相対向して設置される第一表面２１１及び第二表面２１２を備える。前記基板２１には、前記第一表面２１１及び前記第二表面２１２を貫通する複数の貫通孔２１３が設けられる。前記貫通孔２１３によって、前記基板２１の内外の気流を流通させる。
【００１３】
前記取付部２２は、前記基板２１の第一表面２１１の周縁から前記ランプカバー４０側へ延伸して形成され、前記取付部２２の上縁には、前記取付部２２の内側へ延在する４つのアース状の係合部２２１が設けられる。前記４つの係合部２２１は、前記取付部２２の円周方向に沿って等間隔に互いに離間して設置される。各係合部２２１と前記基板２１との間には、係合溝２２２が形成される。前記係合部２２１及び前記係合溝２２２は、前記ランプカバー４０と係合して、前記ランプカバー４０を前記基板２１の第一表面２１１に固定させる。
【００１４】
前記筒体２３は、前記基板２１の第二表面２１２の辺縁から前記ランプホルダー１０側へ延伸して形成される。前記筒体２３は、円筒状を呈し、その内部には、駆動回路モジュール５０を収容するための収容空間２３１が形成される。前記駆動回路モジュール５０は、前記発光ダイオード３０及び前記ランプホルダー１０と電気接続される。前記筒体２３の前記基板２１から離れている端部には、前記ランプホルダー１０に連接する開口２３２が形成される。
【００１５】
前記放熱フィン２４は、前記筒体２３の外周面を囲んで放射状に設置される。各放熱フィン２４は、前記筒体２３の軸方向に沿って条状を呈する。図３を参照すると、各放熱フィン２４は、先ず前記筒体２３の外周面から前記筒体２３の径方向に沿って外側へ延伸して第一直線部２４１を形成し、次に前記筒体２３の径方向の片側へ湾曲して湾曲部２４３を形成し、最終的に再び前記筒体２３の径方向に沿って外側へ延伸して第二直線部２４５を形成する。前記湾曲部２４３は、前記第一直線部２４１及び前記第二直線部２４５を連接し、前記各放熱フィン２４は、前記筒体２３の外周面から外へ延伸して曲線状を呈する。前記各放熱フィン２４は、前記筒体２３の軸方向に沿って前記取付部２２の外周面から前記筒体２３の外周面に向って延伸する。各放熱フィン２４の前記筒体２３の外周面から外へ延伸する高さは、前記筒体２３の前記発光ダイオード３０に近い一端から前記筒体２３の前記発光ダイオード３０に離れている他端に向かって次第に小さくなる。従って、前記放熱フィン２４の有限な面積を十分に利用して前記発光ダイオードランプ１００の体積を縮小することができる。前記放熱器２０の外部の空間を十分に利用して放熱するために、前記放熱フィン２４は、２つずつ一対になり、各対の２つの放熱フィン２４の前記取付部２２及び前記筒体２３の外周面に近い部分が互いに近接し、各対の２つの放熱フィン２４の前記取付部２２及び筒体２３の外周面から離れる部分が互いに離間する。
【００１６】
前記発光ダイオード３０は、前記基板２１の第一表面２１１に固定されており、且つリード（図示せず）を介して前記基板２１の貫通孔２１３を通して前記駆動回路モジュール５０に電気接続される。
【００１７】
前記ランプカバー４０は、ガラス及びプラスチックなどのような光透過性材料によって製造される中空の碗状体である。前記ランプカバー４０は、前記発光ダイオード３０を覆って前記放熱器２０の取付部２２に設置される。
【００１８】
前記発光ダイオードランプ１００が作動する時生成する熱量の一部分は、前記放熱器２０の基板２１を介して前記放熱フィン２４に直接的に伝達され、余りの部分は、前記基板２１の貫通孔２１３を介して前記筒体２３の内部に伝達されてから前記筒体２３によって前記放熱フィン２４に伝達され、最後は、前記放熱フィン２４によって熱量を外部環境に放熱される。また、前記駆動回路モジュール５０が生成した熱量は、前記放熱器２０の筒体２３によって前記放熱フィン２４に伝達されてから前記放熱フィン２４によって外部環境に放熱される。前記発光ダイオードランプ１００の放熱器２０の放熱フィン２４が外へ延伸して曲線状を呈するため、各放熱フィン２４は、大きい放熱面積を持つ。従って、前記放熱器２０の放熱効率を高める。なお、前記発光ダイオードランプ１００が生成した熱量は、前記放熱器２０によって外界に放熱されるため、前記発光ダイオードランプ１００は安定に作動することができる。
【符号の説明】
【００１９】
１００  発光ダイオードランプ
１０  ランプホルダー
２０  放熱器
３０  発光ダイオード
４０  ランプカバー
５０  駆動回路モジュール
２１  基板
２１１  第一表面
２１２  第二表面
２１３  貫通孔
２２  取付部
２２１  係合部
２２２  係合溝
２３  筒体
２３１  収容空間
２３２  開口
２４  放熱フィン
２４１  第一直線部
２４３  湾曲部
２４５  第二直線部
【図１】
2011258537.tif 000003
【図２】
2011258537.tif 000004
【図３】
2011258537.tif 000005
【図４】
2011258537.tif 000006